(57)【要約】テキストの断片を表現する符号を生成する方法では、好ましい態様において、テキスト内の選択されたキー記号ストリングのそれぞれの生起の間の文字スペースを利用する。ストリングは固定されてもよく、異なる多様な形式を包含してもよい。標的テキスト断片の既知の符号と試料テキスト断片から生成された符号とを比較することによって、標的テキストが試料内で使用されたかどうかを判定することは容易である。本方法は、複写装置、例えば、写真複写機の中に組み込まれうり、これによって、機密のまたは管理されたテキスト断片の所定のリストの1つを保有する文書をユーザが複写しようとしたときにはいつでも、装置が自動的に報告することが可能になる。2009524131.tif 000003
2009524131.tif 000002
【特許請求の範囲】
【請求項１】
テキストの断片を表現する符号を生成する方法であって、
断片の中でキー（key）記号ストリングが生起する位置を識別する工程、キー記号ストリングの選択された生起の間の距離を決定する工程、および該距離を含む符号を生成する工程を含む、方法。
【請求項２】
符号が、断片内の隣接するキー記号ストリングの間のそれぞれの距離に対応する複数の距離を含む、請求項1記載の方法。
【請求項３】
生起の間の文字の数によって距離が決定される、請求項1記載の方法。
【請求項４】
生起の間の文字の数によって、更に、該生起の間のテキストの行の数によって、距離が決定される、請求項1記載の方法。
【請求項５】
キー記号ストリングが、一つまたは複数の文字からなる単一の固定ストリングを含む、請求項1記載の方法。
【請求項６】
キー記号ストリングが可変であり、一つまたは複数の文字からなる複数の既定の固定ストリングの任意の1つを含みうる、請求項1記載の方法。
【請求項７】
キー記号ストリングが、第2の選択されたストリングから間隔をあけた第1の選択されたストリングを含む、請求項1記載の方法。
【請求項８】
間隔が固定されている、請求項1記載の方法。
【請求項９】
間隔が可変であるまたは計算されている、請求項1記載の方法。
【請求項１０】
キー記号ストリングが、第2の選択されたストリングから間隔をあけた第1の選択されたストリングを含み、それらストリングの間で、一つまたは複数の更なるストリングが、選択された数だけ生起する、請求項1記載の方法。
【請求項１１】
符号が、キー記号ストリング、または、キー記号ストリングがどのように構築されるかの定義を含む、請求項1記載の方法。
【請求項１２】
試料断片の中でテキストの標的断片が生起するかどうかを判定する方法であって、
（a）請求項1〜11のいずれか一項記載の方法を使用して、標的断片を表現する標的符号および試料断片を表現する試料符号を生成する工程；
（b）標的符号を試料符号の一部と比較する工程；ならびに
（c）標的符号と試料符号の一部とが一致するならば、要求される一致規準に従って、テキストの標的断片が試料断片の中で生起すると判定する工程
を含む、方法。
【請求項１３】
テキストを保有する物理的文書の物理コピーまたは電子コピーを作成するための複写装置であって、
（a）物理的文書の画像を生成するためのイメージャ；
（b）該テキストを電子形態の試料テキストへ変換するためのOCRエンジン；
（c）該試料テキストから試料符号を生成するためのアナライザであって、該符号はキー記号ストリングの試料テキストにおける選択された生起の間の距離を含み、該アナライザは、関心対象の標的テキスト断片を表現する複数の事前計算された標的符号を受信し、標的符号と試料符号の一部とを比較し、かつ、標的符号と試料符号の一部とが、要求される一致規準に従って一致するならば、一致する標的テキスト断片を表す信号を生成する、アナライザ；ならびに
（d）該信号を受信するためおよび該信号に応じて作動するための、コントローラ
を含む、複写装置。
【請求項１４】
コントローラが装置の動作を制御する、請求項13記載の複写装置。
【請求項１５】
コントローラがメッセージをコンピュータ・ネットワークへ渡す、請求項13記載の複写装置。
【発明の詳細な説明】
【技術分野】
【０００１】
技術分野
本発明はテキストの識別に関する。好ましい態様において、本発明は一続きのテキストを迅速および容易にチェックして、テキストの中に標的テキスト断片が存在するか存在しないかを確認する機構を提供する。
【背景技術】
【０００２】
序論
一旦テキストが公に発表されると、テキスト断片の作成者または著作権所有者がそのテキストがどうなるかを管理することは、近年ますます困難になってきている。テキストが電子形態で発表される場合、それは繰り返し複写され、インターネットを介して数秒で配布される。それがハードコピーでしか発表されなくても、第3者が関連ページを複写または走査し、次いで光学的認識（OCR）技術を使用して、電子版を生成することはざらである。
【０００３】
テキストの特定の断片が複写された場合に検出する必要が生じる多様な状況が存在する。第1に、テキスト断片が著作権の対象であれば、著作権所有者は、誰が断片の不法なコピーを作成しているかを知ることを合法的に欲する可能性がある。あるいは、著作権所有者は、ライセンス料を計算できるように、認可されたライセンシがコピーを作成した回数を知ることに関心を有する可能性がある。第2に、特にインターネットからテキスト断片を複写し、自分自身の労作であるとごまかす学生の中から、盗作を検出する必要性が存在する。第3に、国家的安全などを理由として、政府機関が或る種の機密文書の複写を制限または禁止したいと望むセキュリティ分野が存在する。
【０００４】
これらの状況の全てにおいて、電子複写だけでなく、物理的な印刷文書の複写、例えば、走査または写真複写による複写を検出することが望ましい。
【発明の開示】
【０００５】
本発明の概要
本発明により、テキストの断片を表現する符号を生成する方法が提供される。この方法は、断片の中でキー記号ストリングが生起する位置を識別する工程、選択された生起の間の距離を決定する工程、および該距離を含む符号を生成する工程を含む。
【０００６】
本発明の第2の局面により、テキストの標的断片が試料断片の中で生起するかどうかを判定する方法が提供され、該方法は以下の工程を含む：
（a）請求項1〜11のいずれか一項記載の方法を使用して、標的断片を表現する標的符号および試料断片を表現する試料符号を生成する工程；
（b）標的符号を試料符号の一部と比較する工程；ならびに
（c）標的符号と試料符号の一部とが一致するならば、要求される一致規準に従って、テキストの標的断片が試料断片の中で生起すると判定する工程。
【０００７】
本発明は、前述の符号を生成および操作するための適切な搭載処理を含む複写装置、例えば、スキャナ、写真複写機、カメラ、またはデジタル・イメージャに及ぶ。
【０００８】
具体的には、本発明は、テキストを保有する物理的文書の物理コピーまたは電子コピーを作成する複写装置に及び、該装置は以下を含む：
（a）物理的文書の画像を生成するためのイメージャ；
（b）該テキストを電子形態の試料テキストへ変換するためのOCRエンジン；
（c）該試料テキストから試料符号を生成するためのアナライザであって、該符号が、キー記号ストリングの試料テキストにおける選択された生起の間の距離を含み、該アナライザが、関心対象の標的テキスト断片を表現する複数の事前計算された標的符号を受信し、標的符号を試料符号の一部と比較し、かつ、標的符号と試料符号の一部とが、要求される一致規準に従って一致する場合、一致する標的テキスト断片を表す信号を生成する、アナライザ；ならびに
（d）該信号を受信するためおよび該信号に応じて行動を取るための、コントローラ。
【０００９】
本発明は更に、以下のいずれかまたは全てに及ぶ：
（i）一つまたは複数のキー記号ストリングの生起の位置がテキスト内で識別されること、
（ii）キー記号ストリングの選択された生起の位置の間の距離が決定されること、および
（iii）キー記号ストリングの間の一つまたは複数の距離を含む符号が形成されること
によって、テキストの断片を表す符号を形成する方法；
各々のキーストリングが1つの選択された記号である、上記の方法；
符号が、一つまたは複数の第1の選択された生起と選択された数の他の生起によって分離された一つまたは複数の第2の選択された生起との間の一つまたは複数の距離と、キー記号ストリングを表す一つまたは複数の記号との組み合わせを含む、上記の方法；
キーストリングが1つしか存在しない、上記の方法；
符号が、一つまたは複数の第1の選択された生起と、選択された数の他の生起によって分離された一つまたは複数の第2の選択された生起との間の一つまたは複数の距離を含む、上記の方法；
生起の分離が固定されている、上記の方法；
或る所定のパターンに従って分離が変動する、上記の方法；ならびに
分離が計算される、上記の方法。
【００１０】
本発明は多くの様式で実施することができるが、例示のために添付の図面を参照して、幾つかの具体的態様をここで説明する。
【００１１】
好ましい態様の説明
テキスト5の断片を表示または表現する符号を作成するための好ましい手順を、図1で概説する。断片がまだ電子形態になっていなければ、断片を先ず走査または複写して、光学式文字認識（OCR）を適用すべきである。
【００１２】
先ずキー記号ストリングを決定するが、これは、文書内で探求される一つまたは複数の文字ストリングである。図1の例において、単一キー記号ストリング、即ち、アルファベット「x」が使用される。本発明者らは、断片の始まり10からスタートして、連続的に探索を行い、選択されたキー記号ストリングの各々の生起を記録する。図示された例において、ストリング「x」の第一の生起は、参照番号20で表示されるように、スタートから5番目の文字位置で生起する。次のアルファベット「x」は、参照番号30で表示されるように、文字スペース9つ分先で生起する。
【００１３】
図面から分かるように、考慮されている一続きのテキストは、テキストをページ上でレイアウトする様式によって1つのキー記号ストリングと次のキー記号ストリングとの間の文字間隔が影響されないように、1つの長い連続したストリングとして取り扱われる。即ち、（下記でさらに詳述される）1つまたは2つの例外を除けば、ページレイアウトは通常無視される。
【００１４】
例示を続けると、次のアルファベット「x」は、参照番号40で示されるように、前の「x」の5文字後で生起する。後続の文字間隔は、それぞれ参照番号50、60、70で示されるように、17、3、3である。
【００１５】
このようにして、一続きのテキストを末端100まで完全に解析したら、使用されているキー記号ストリングの詳細と、それぞれのストリングの間の文字間隔から作られたリストとを組み合わせることによって、このテキストを表現する符号が生成される。符号自体の詳細な構造を、手持ちの特定アプリケーションに従って選択することができるが、これは、例えば、ストリングを規定するヘッダ部分と、後続の間隔のリストとからなってもよい。このアプローチを使用すると、図1のテキストは、次の符号によって表現されうる。
X:5,9,5,17,3,3...
【００１６】
典型的には、距離の尺度とは、キー記号ストリングの間のアルファベット、記号、または他の文字の数である。距離の尺度は、単一および/または複数の文字スペースを含んでもよく、あるいはスペースの有無を無視してもよい。
【００１７】
更に複雑な距離の測定法も考慮されるが、これは、必要に応じて、テキストをページ上で呈示する様式を利用してもよく、これには、テキストを行毎にレイアウトする様式が含まれる。異なる多様な測定法が考慮され、ここで、例えば、記号間の距離は、中間文字の数だけでなく、2つの記号が同じ行に存在するか異なる行に存在するかにも依存しうる。異なる行にある場合は、間に存在する行の数も考慮されうる。
【００１８】
図1のテキストレイアウトの場合、例えば、各改行が10文字間隔に等しいと見なされる距離計測法の使用を決定してもよい。そのような計測法では、距離30に10文字を加え、距離50に20文字を加える必要がある。全ての他の距離は同一のままである。これにより、以下の新しい符号を与える。
X:5,19,5,37,3,3...
【００１９】
図1の簡単な態様において、単一のキー記号ストリング、即ち、アルファベット「x」が使用される。変法において、更に長いおよび/または複雑なストリングの生起を探してもよい。下記で詳細に説明されるように、これらのストリングは、固定された既定の形式を有するストリングであるか、あるいは、形式、長さ、および/または組成においてある程度の固有の柔軟性を有するストリングであってもよい。柔軟性の範囲は予め規定してもよく、検討下のテキストの断片のいくつかの特性に応じて計算されてもよい。複数のキー記号ストリングを使用してもよく、例えば、2つのアルファベットの間を区別することなく、ストリングをアルファベット「x」またはアルファベット「ｑ」のいずれかとして、定義することが便利でありうる。
【００２０】
幾つかの更に例示的なキー記号ストリングを、下記で記述する。
【００２１】
例示的キー記号ストリング
・任意のアルファベット、記号、または文字a、例えば「x」。これは、原則として一文字スペースを含む。
・任意の二文字（bigraph）a1 a2、例えば、「st」。
・任意の組み合わせa1 a2 a3、例えば、「str」。
・任意の長い組み合わせa1 a2 a3 ... an、例えば、「st _ _ ng」。ここで、下線は一文字スペースを表す。
・s1 ? s2形式の任意のストリング。ここで、s1およびs2は上記の文字または文字の組み合わせであり、?は、固定されたか変動し得る一つまたは複数の文字の間隔を表す。
・s1 ? s2 ? s3形式の任意のストリング。ここで、s1、s2、s3は上記で言及された任意の型のストリングであり、?によって表わされた間隔は同じである必要はない。
・s1 ? s2 ? s3 ? s4形式の任意のストリング。ここでも、各?は異なる文字間隔を表してよく、s1、s2、s3、s4は上記の型の任意のストリングである。
・2つのストリングssおよびsgが、更なるストリングsfの生起の所与の数によって分離されるストリング。ここで、開始ストリングss、終了ストリングse、および更なるストリングsfは、全て上記で言及された型のいずれかである。これらのストリングは同じでも異なってもよく、それらの間の間隔は固定されても変動してもよい。
・ssおよびseが、複数の更なるストリングs1、s2、...snの生起の選択された数によって分離されるストリング。同じく、それぞれの間隔は、固定されても変動してもよく、ストリングは全て異なっていてもよいが、必ずしも異なっている必要はない。
【００２２】
テキストの標的断片が試料断片の中に存在するかどうかを判定するため、同じ規準を使用して、双方の断片のそれぞれの符号が生成され、次に、これらの符号が比較される。標的符号と試料符号の或る部分との間で一致が識別されるならば、試料断片の中に標的断片が存在すると判定される。比較は、任意の便利なやり方、例えば、試料符号リストの長さ方向に沿って標的符号からのリストを滑らせ、各々の位置で一致を探すことによって行われてもよい。アプリケーションに応じて、正確な一致が要求されてもよく、あるいは、或る既定の最小一致規準に従って、部分的一致を許容することで十分な可能性もある。
【００２３】
図2は、本発明の好ましい方法が、複写装置、例えば、スキャナまたは写真複写機の中へ、どのように組み込まれるかを示す。複写装置210は、CCD素子、スキャナ、またはデジタル・イメージャなどのイメージャ220を含むが、この機能は、テキストの断片を保有するハードコピー文書（図示されず）のデジタル画像を捕捉することである。画像はコンピュータ処理ユニット230へ渡され、更に、ローカル・ハードディスクまたは他の記憶手段240へ記憶されてもよい。複写機が物理的コピーを作成するのであれば、プリンタ255が含められてもよい。画像はOCRエンジン250へ渡され、これは、断片を文字ストリングへ変換してアナライザ260へ渡す。使用される距離計測法が改行位置に関する情報または他のレイアウト情報を必要とするならば、この情報が同様に渡される。アナライザは断片を処理し、前述した方法を使用して断片から試料符号を作成する。
【００２４】
ディスクドライブ240の上には、一連の事前計算された標的符号が記録され、それぞれがテキスト断片を表現しており、その複写が記録される。当然ながら、標的符号は、試料符号を生成するためアナライザによって使用されている同じアルゴリズムによって生成されていなければならない。アナライザは、記憶された符号をディスクから検索し、それら記憶された符号を、最近複写された文書から生成された試料符号と（前述したように）比較する。一致が発見されるならば、コントローラ265は或る適切な行動を取るように命令される。行動とは、例えば、写真複写機を停止すること、複写プロセスを禁止すること、可視または可聴信号を生成すること、ログへ項目を書き込み、後でディスク240に記憶すること、またはネットワーク、例えば、インターネット270を介してメッセージを遠隔システム280へ送ることを含んでよい。遠隔システムは、それ自体、適切な行動を取ってもよい。そのような行動には、幾つかのアプリケーションにおいて、著作権のあるテキストの特定の一片を写真複写するために要求される使用料に関して、自動的送り状を提起することが含まれる。
【００２５】
標的符号を複写機210自体の中に記憶する代わりに、290で示されるように、符号を遠隔的に記憶してよく、複写機は、コピーが作成される場合はいつでも、ネットワークを介して必要な情報を自動的に要求する。
【図面の簡単な説明】
【００２６】
【図１】本発明の1つの態様に従って、テキストの断片から符号を作成するための例示的方法を示す。
【図２】所与のテキスト断片が複写されたとき自動的に検出できる本発明の他の態様に従った複写装置を示す。
【図１】
2009524131.tif 000004
【図２】
2009524131.tif 000005
【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
文書の電子複写、写真複写、又は走査中にテキストの一部が複写されたかどうかを判定する方法であって、以下の工程を含む方法：
テキストの標的断片から標的符号を生成する工程；
テキストの試料断片が標的符号を含むかどうかを判定する工程；および
判定に成功したら、テキストの試料断片が標的符号を含むならば行動を開始する工程。
【請求項２】
標的符号を生成する工程が、
テキストの標的断片からキー（key）記号ストリングを識別すること；
テキストの標的断片の中でキー記号ストリングが生起する位置を識別すること；
テキストの標的断片の中でキー記号ストリングのそれぞれの隣接位置の間の距離を判定すること；ならびに
キー記号ストリングおよび距離に基づいて標的符号を生成すること
を含む、請求項1記載の方法。
【請求項３】
一つまたは複数の文字の単一の固定ストリングをキー記号ストリングとして使用する工程をさらに含む、請求項2記載の方法。
【請求項４】
アルファベット、記号、および/またはスペースを文字として使用する工程をさらに含む、請求項3記載の方法。
【請求項５】
アルファベット、記号、および/またはスペースの別々の配列を1つまたは複数の文字として使用する工程をさらに含む、請求項4記載の方法。
【請求項６】
アルファベット、記号、および/またはスペースの同一の配列を1つまたは複数の文字として使用する工程をさらに含む、請求項4記載の方法。
【請求項７】
1つまたは複数の文字の可変長ストリングをキー記号ストリングとして使用する工程をさらに含む、請求項2記載の方法。
【請求項８】
アルファベット、記号、および/またはスペースを1つまたは複数の文字として使用する工程をさらに含む、請求項7記載の方法。
【請求項９】
アルファベット、記号、および/またはスペースの別々の配列を1つまたは複数の文字として使用する工程をさらに含む、請求項8記載の方法。
【請求項１０】
アルファベット、記号、および/またはスペースの同一の配列を1つまたは複数の文字として使用する工程をさらに含む、請求項8記載の方法。
【請求項１１】
複数のストリングをキー記号ストリングとして使用する工程をさらに含む、請求項2記載の方法。
【請求項１２】
固定ストリングおよび可変長ストリングを複数のストリングとして使用する工程をさらに含む、請求項11記載の方法。
【請求項１３】
別々のストリングを複数のストリングとして使用する工程をさらに含む、請求項11記載の方法。
【請求項１４】
複数のストリングの中の各ストリング間の間隔を使用する工程をさらに含む、請求項11記載の方法。
【請求項１５】
1つまたは複数の文字を間隔として使用する工程をさらに含む、請求項14記載の方法。
【請求項１６】
固定のまたは可変長の間隔を間隔として使用する工程をさらに含む、請求項14記載の方法。
【請求項１７】
複数のキー記号ストリングを上記キー記号ストリングとして使用する工程をさらに含む、請求項2記載の方法。
【請求項１８】
アルファベット、記号、スペース、および/またはその他の文字を計数して、キー記号ストリングの各隣接位置の間の距離を判定する工程をさらに含む、請求項2記載の方法。
【請求項１９】
単一または複数の文字スペースを計数して、キー記号ストリングの各隣接位置の間の距離を判定する工程をさらに含む、請求項2記載の方法。
【請求項２０】
改行を表すために距離計測法を使用して、キー記号ストリングの各隣接位置の間の距離を判定する工程をさらに含む、請求項2記載の方法。
【請求項２１】
テキストの試料断片における標的符号の部分的一致を判定成功として使用する工程をさらに含む、請求項1記載の方法。
【請求項２２】
テキストの試料断片における標的符号の完全一致を判定成功として使用する工程をさらに含む、請求項1記載の方法。
【請求項２３】
ユーザにより規定された一致規準を判定成功として使用する工程をさらに含む、請求項1記載の方法。
【請求項２４】
行動が、通知を出力する工程、イメージングデバイスを動作不能にする工程、可視信号を生成する工程、可聴信号を生成する工程、項目をログへ書き込む工程、メッセージを遠隔システムへ送る工程、または使用料の自動的請求書を生成する工程を含む、請求項1記載の方法。
【請求項２５】
イメージングデバイス上で文書を画像化すること；および
文書の少なくとも一部をデジタルデータへ変換すること
によって、テキストの試料断片を生成する工程をさらに含む、請求項1記載の方法。
【請求項２６】
文書の画像を生成するように構成されたイメージングデバイス；
文書の画像の一部をデジタルデータへ変換するように構成された変換デバイス；
デジタルデータから試料を生成するように、および標的符号と試料の一部とを比較するように構成された解析デバイス；ならびに
試料の一部が標的符号を含む場合に、行動を開始するように構成されたコントローラ
を含む、システム。
【請求項２７】
標的符号を記憶するように構成されたメモリデバイスをさらに含む、請求項26記載のシステム。
【請求項２８】
行動が、イメージングデバイスを動作不能にする工程、可視信号を生成する工程、可聴信号を生成する工程、項目をログへ書き込む工程、メッセージを遠隔システムへ送る工程、または使用料の自動的請求書を生成する工程を含む、請求項26記載のシステム。
【請求項２９】
遠隔システムが、標的符号を記憶するように構成されたメモリデバイスを含む、請求項28記載のシステム。
【請求項３０】
遠隔システムが、一致信号を受信した場合に行動を開始するように構成されたコントローラを含む、請求項28記載のシステム。
【請求項３１】
行動が、使用料の自動的請求書を生成する工程を含む、請求項30記載のシステム。
【請求項３２】
コントローラへ接続されて文書の画像の物理的コピーを作成するプリンタをさらに含む、請求項26記載のシステム。
【請求項３３】
変換デバイスが光学式文字認識（OCR）デバイスである、請求項26記載のシステム。
【請求項３４】
プロセッサによって実行された場合に、
文書の電子複写、写真複写、または走査の間に捕捉されたテキストの標的断片から標的符号を生成する工程；
テキストの試料断片が標的符号を含むかどうかを判定する工程；および
判定に成功したら、テキストの試料断片が標的符号を含むならば行動を開始する工程
を含む方法をプロセッサに遂行させるコンピュータプログラムコードが記録された、コンピュータ読み取り可能記憶媒体。
【請求項３５】
コンピュータプログラム論理を記録されたコンピュータ使用可能媒体を含むコンピュータプログラムプロダクトであって、コンピュータプログラム論理が、
文書の電子複写、写真複写、または走査の間に捕捉されたテキストの標的断片から標的符号を生成するための第1のコンピュータコード手段；
テキストの試料断片が標的符号を含むかどうかを判定するための第2のコンピュータコード手段；および
判定に成功したら、テキストの試料断片が標的符号を含むならば行動を開始するための第3のコンピュータコード手段
を含む、コンピュータプログラムプロダクト。
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
文書の電子複写、写真複写、又は走査中にテキストの一部が複写されたかどうかを判定する方法であって、以下の工程を含む方法：
テキストの標的断片から標的符号を生成する工程；
テキストの試料断片が標的符号を含むかどうかを判定する工程；および
判定に成功したら、テキストの試料断片が標的符号を含むならば行動を開始する工程。
【請求項２】
標的符号を生成する工程が、
テキストの標的断片からキー（key）記号ストリングを識別すること；
テキストの標的断片の中でキー記号ストリングが生起する位置を識別すること；
テキストの標的断片の中でキー記号ストリングのそれぞれの隣接位置の間の距離を判定すること；ならびに
キー記号ストリングおよび距離に基づいて標的符号を生成すること
を含む、請求項1記載の方法。
【請求項３】
一つまたは複数の文字の単一の固定ストリングをキー記号ストリングとして使用する工程をさらに含む、請求項2記載の方法。
【請求項４】
アルファベット、記号、および/またはスペースを文字として使用する工程をさらに含む、請求項3記載の方法。
【請求項５】
アルファベット、記号、および/またはスペースの別々の配列を1つまたは複数の文字として使用する工程をさらに含む、請求項4記載の方法。
【請求項６】
アルファベット、記号、および/またはスペースの同一の配列を1つまたは複数の文字として使用する工程をさらに含む、請求項4記載の方法。
【請求項７】
1つまたは複数の文字の可変長ストリングをキー記号ストリングとして使用する工程をさらに含む、請求項2記載の方法。
【請求項８】
アルファベット、記号、および/またはスペースを1つまたは複数の文字として使用する工程をさらに含む、請求項7記載の方法。
【請求項９】
アルファベット、記号、および/またはスペースの別々の配列を1つまたは複数の文字として使用する工程をさらに含む、請求項8記載の方法。
【請求項１０】
アルファベット、記号、および/またはスペースの同一の配列を1つまたは複数の文字として使用する工程をさらに含む、請求項8記載の方法。
【請求項１１】
複数のストリングをキー記号ストリングとして使用する工程をさらに含む、請求項2記載の方法。
【請求項１２】
固定ストリングおよび可変長ストリングを複数のストリングとして使用する工程をさらに含む、請求項11記載の方法。
【請求項１３】
別々のストリングを複数のストリングとして使用する工程をさらに含む、請求項11記載の方法。
【請求項１４】
複数のストリングの中の各ストリング間の間隔を使用する工程をさらに含む、請求項11記載の方法。
【請求項１５】
1つまたは複数の文字を間隔として使用する工程をさらに含む、請求項14記載の方法。
【請求項１６】
固定のまたは可変長の間隔を間隔として使用する工程をさらに含む、請求項14記載の方法。
【請求項１７】
複数のキー記号ストリングを上記キー記号ストリングとして使用する工程をさらに含む、請求項2記載の方法。
【請求項１８】
アルファベット、記号、スペース、および/またはその他の文字を計数して、キー記号ストリングの各隣接位置の間の距離を判定する工程をさらに含む、請求項2記載の方法。
【請求項１９】
単一または複数の文字スペースを計数して、キー記号ストリングの各隣接位置の間の距離を判定する工程をさらに含む、請求項2記載の方法。
【請求項２０】
改行を表すために距離計測法を使用して、キー記号ストリングの各隣接位置の間の距離を判定する工程をさらに含む、請求項2記載の方法。
【請求項２１】
テキストの試料断片における標的符号の部分的一致を判定成功として使用する工程をさらに含む、請求項1記載の方法。
【請求項２２】
テキストの試料断片における標的符号の完全一致を判定成功として使用する工程をさらに含む、請求項1記載の方法。
【請求項２３】
ユーザにより規定された一致規準を判定成功として使用する工程をさらに含む、請求項1記載の方法。
【請求項２４】
行動が、通知を出力する工程、イメージングデバイスを動作不能にする工程、可視信号を生成する工程、可聴信号を生成する工程、項目をログへ書き込む工程、メッセージを遠隔システムへ送る工程、または使用料の自動的請求書を生成する工程を含む、請求項1記載の方法。
【請求項２５】
イメージングデバイス上で文書を画像化すること；および
文書の少なくとも一部をデジタルデータへ変換すること
によって、テキストの試料断片を生成する工程をさらに含む、請求項1記載の方法。
【請求項２６】
文書の画像を生成するように構成されたイメージングデバイス；
文書の画像の一部をデジタルデータへ変換するように構成された変換デバイス；
デジタルデータから試料を生成するように、および標的符号と試料の一部とを比較するように構成された解析デバイス；ならびに
試料の一部が標的符号を含むと判定されたら行動を開始するように構成されたコントローラ
を含む、システム。
【請求項２７】
標的符号を記憶するように構成されたメモリデバイスをさらに含む、請求項26記載のシステム。
【請求項２８】
行動が、イメージングデバイスを動作不能にする工程、可視信号を生成する工程、可聴信号を生成する工程、項目をログへ書き込む工程、メッセージを遠隔システムへ送る工程、または使用料の自動的請求書を生成する工程を含む、請求項26記載のシステム。
【請求項２９】
遠隔システムが、標的符号を記憶するように構成されたメモリデバイスを含む、請求項28記載のシステム。
【請求項３０】
遠隔システムが、一致信号を受信した場合に行動を開始するように構成されたコントローラを含む、請求項28記載のシステム。
【請求項３１】
行動が、使用料の自動的請求書を生成する工程を含む、請求項30記載のシステム。
【請求項３２】
コントローラへ接続されて文書の画像の物理的コピーを作成するプリンタをさらに含む、請求項26記載のシステム。
【請求項３３】
変換デバイスが光学式文字認識（OCR）デバイスである、請求項26記載のシステム。
【請求項３４】
プロセッサによって実行された場合に、
文書の電子複写、写真複写、または走査の間に捕捉されたテキストの標的断片から標的符号を生成する工程；
テキストの試料断片が標的符号を含むかどうかを判定する工程；および
判定に成功したら、テキストの試料断片が標的符号を含むならば行動を開始する工程
を含む方法をプロセッサに遂行させるコンピュータプログラムコードが記録された、コンピュータ読み取り可能記憶媒体。
【請求項３５】
コンピュータプログラム論理を記録されたコンピュータ使用可能媒体を含むコンピュータプログラムプロダクトであって、コンピュータプログラム論理が、
文書の電子複写、写真複写、または走査の間に捕捉されたテキストの標的断片から標的符号を生成するための第1のコンピュータコード手段；
テキストの試料断片が標的符号を含むかどうかを判定するための第2のコンピュータコード手段；および
判定に成功したら、テキストの試料断片が標的符号を含むならば行動を開始するための第3のコンピュータコード手段
を含む、コンピュータプログラムプロダクト。
【請求項３６】
キー記号ストリングおよびキー記号ストリングを含むテキストの標的断片を受信する工程；
テキストの標的断片の中でキー記号ストリングが生起する位置を判定する工程；
テキストの標的断片の中でキー記号ストリングのそれぞれ隣接する位置の間の距離を判定する工程；
キー記号ストリングおよび距離に基づいて第1の標的符号を生成する工程；
テキストの標的断片に基づいて第2の標的符号を生成する工程；ならびに
第1と第2の標的符号の比較に基づいて行動を開始する工程
を含む、方法。
【請求項３７】
テキストの標的断片から標的符号を生成するための手段；
テキストの試料断片が標的符号を含むかどうかを判定するための手段；および
判定に成功したら、テキストの試料断片が標的符号を含むならば行動を開始するための手段
を含む、システム。
【国際調査報告】
2009524131.tif 000006
2009524131.tif 000007
2009524131.tif 000008
2009524131.tif 000009
2009524131.tif 000010
2009524131.tif 000011